(57)【要約】【課題】電子機器において、取り付け作業および取り外し作業を容易化すると共に、ロック機構の構造を簡略化する。【解決手段】電子機器は、電子機器の主要部である本体と、本体に対して着脱自在である蓋体４０と、本体に対して着脱自在である機能拡張デバイスと、蓋体および機能拡張デバイスの各々を本体から取り外し不能とするロック機構と、を備え、ロック機構は、蓋体に設けられた第１孔部および第２孔部４１，４２と、機能拡張デバイスと係合する第１位置および機能拡張デバイスと係合しない第２位置のいずれか一方に調節自在であり、第１位置に調節された場合に蓋体の第１孔部と位置の合う第３孔部５４を持つ係合部材５０と、第１孔部に挿入された場合に蓋体を固定すると共に第３孔部にも挿入されて係合部材を第１位置に固定する固定部材６０と、を有する。【選択図】図４
2008250619.tif 000002
【特許請求の範囲】
【請求項１】
本体と、
固定部材が挿入されることで前記本体に装着される第１孔部および第２孔部を有した蓋体と、
前記本体に対して着脱自在である機能拡張デバイスと、
前記機能拡張デバイスと係合する第１位置および前記機能拡張デバイスと係合しない第２位置に移動自在であり、固定部材が挿入されることでこの移動が規制される第３孔部とを有した係合部材と、を備え、
前記第１孔部および前記第３孔部は、前記拡張デバイスが前記本体に対して着けられた際に同一の固定部材が挿入可能な位置に設けられていることを特徴とする電子機器。
【請求項２】
電子機器の主要部である本体と、
前記本体に対して着脱自在である蓋体と、
前記本体に対して着脱自在である機能拡張デバイスと、
前記蓋体および前記機能拡張デバイスの各々を前記本体から取り外し不能とするロック機構と、
を備え、
前記ロック機構は、
前記蓋体に設けられた第１孔部および第２孔部と、
前記機能拡張デバイスと係合する第１位置および前記機能拡張デバイスと係合しない第２位置のいずれか一方に調節自在であり、前記第１位置に調節された場合に前記蓋体の第１孔部と位置の合う第３孔部を持つ係合部材と、
前記第１孔部に挿入された場合に前記蓋体を固定すると共に前記第３孔部にも挿入されて前記係合部材を第１位置に固定し、一方、前記第２孔部に挿入された場合に前記蓋体を固定すると共に前記係合部材を位置調節自在とする固定部材と、
を有することを特徴とする電子機器。
【請求項３】
前記係合部材は、前記筐体の外面に沿ってスライド自在なスライド部材であることを特徴とする請求項１または２に記載の電子機器。
【請求項４】
前記固定部材は、雄ネジを有するネジ部材であることを特徴とする請求項１〜３のいずれか１項に記載の電子機器。
【請求項５】
前記係合部材の第３孔部は雌ネジを有するものであり、
前記固定部材が第１孔部および第３孔部に挿入された場合に、前記固定部材の雄ネジは当該第３孔部の雌ネジに螺合されることを特徴とする請求項４に記載の電子機器。
【請求項６】
前記蓋体の第１孔部は雌ネジを有するものであり、
前記固定部材が第１孔部および第３孔部に挿入された場合に、前記固定部材の雄ネジは当該第１孔部の雌ネジに螺合されることを特徴とする請求項４に記載の電子機器。
【請求項７】
前記係合部材の内側には雌ネジを有する内部部材が配置されており、
前記固定部材が第１孔部および第３孔部に挿入された場合に、前記固定部材の雄ネジは当該内部部材の雌ネジに螺合されることを特徴とする請求項４に記載の電子機器。
【請求項８】
前記蓋体はメモリーカバーであることを特徴とする請求項１〜７のいずれか１項に記載の電子機器。
【請求項９】
前記機能拡張デバイスは、異なる機能を有する複数のデバイスの中から、前記本体に装着するデバイスを、ユーザが任意に選択可能なデバイスであることを特徴とする請求項１〜８のいずれか１項に記載の電子機器。
【請求項１０】
ノートブック型パーソナルコンピュータであることを特徴とする請求項１〜９のいずれか１項に記載の電子機器。
【発明の詳細な説明】
【技術分野】
【０００１】
本発明は、着脱自在な機能拡張デバイスを備える電子機器に関する。
【背景技術】
【０００２】
従来文献（特許文献１）には、電池の収納スペースが蓋体で閉じられる構造の無線機器の一例が示されている。この無線機器では、電池の収納スペースにロックネジが設けられており、蓋体の一部に形成された凹部にロックネジの先端を挿入することで、蓋体の不用意に開かれることを防止している。
【特許文献１】特開２００１−２３７５６７号公報
【発明の開示】
【発明が解決しようとする課題】
【０００３】
電子機器には、機能拡張デバイスが着脱自在に設けられるものがある。このような機能拡張デバイスは、電子機器の使用中に不用意に取り外されることを防止するために、機能拡張デバイスの取り外しを防止するロック機構が必要となる。そして、このロック機構では、ユーザによる取り付け作業および取り外し作業を容易化したり、ロック機構の構造を簡略化することを考慮する必要がある。
【０００４】
本発明は、上記の課題を解決するためになされたもので、取り付け作業および取り外し作業を容易化できると共に、ロック機構の構造を簡略化することができる電子機器を提供することを目的とする。
【課題を解決するための手段】
【０００５】
上述した目的を達成するために、本発明に係る電子機器は、本体と、固定部材が挿入されることで本体に装着される第１孔部および第２孔部を有した蓋体と、本体に対して着脱自在である機能拡張デバイスと、機能拡張デバイスと係合する第１位置および機能拡張デバイスと係合しない第２位置に移動自在であり、固定部材が挿入されることでこの移動が規制される第３孔部とを有した係合部材と、を備え、第１孔部および第３孔部は、拡張デバイスが本体に対して着けられた際に同一の固定部材が挿入可能な位置に設けられていることを特徴とする。
【０００６】
また、本発明に係る電子機器は、電子機器の主要部である本体と、本体に対して着脱自在である蓋体と、本体に対して着脱自在である機能拡張デバイスと、蓋体および機能拡張デバイスの各々を本体から取り外し不能とするロック機構と、を備え、ロック機構は、蓋体に設けられた第１孔部および第２孔部と、機能拡張デバイスと係合する第１位置および機能拡張デバイスと係合しない第２位置のいずれか一方に調節自在であり、第１位置に調節された場合に蓋体の第１孔部と位置の合う第３孔部を持つ係合部材と、第１孔部に挿入された場合に蓋体を固定すると共に第３孔部にも挿入されて係合部材を第１位置に固定し、一方、第２孔部に挿入された場合に蓋体を固定すると共に係合部材を位置調節自在とする固定部材と、を有することを特徴とする。
【発明の効果】
【０００７】
本発明によれば、取り付け作業および取り外し作業を容易化できると共に、ロック機構の構造を簡略化することができる電子機器を提供することができる。
【発明を実施するための最良の形態】
【０００８】
以下、添付図面を参照して、本発明の好適な実施形態について詳細に説明する。なお、説明において、同一要素又は同一機能を有する要素には、同一符号を用いることとし、重複する説明は省略する。
【０００９】
図１には、本発明の電子機器の一実施例であるノートブック型パーソナルコンピュータ１０のディスプレイユニット１２を開いた状態が示されている。コンピュータ１０は、コンピュータ１０の主要部であるコンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれており、そのＬＣＤ１７の表示画面はディスプレイユニット１２のほぼ中央に位置されている。
【００１０】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、コンピュータ１０を電源オン／オフするためのパワーボタン１４、入力操作パネル１５、およびタッチパッド１６などが配置されている。
【００１１】
コンピュータ本体１１の側面にはセレクトベイスロット１８が設けられる。セレクトベイスロット１８は、コンピュータ１０の機能を拡張する機能拡張デバイス３０を装着するための装着部であり、ユーザはセレクトベイスロット１８に対応した機能拡張デバイス３０をセレクトベイスロット１８に着脱自在に装着することができる。セレクトベイスロット１８に対応する機能拡張デバイス３０としては、ＯＤＤ(Optional Disk Drive)、ＨＤＤ(Hard Disk Drive)、ＦＤＤ（Floppy Disk Drive、登録商標）、ＴＶチューナ、バッテリーなどの複数種類のデバイスがあり、ユーザは所望の機能の機能拡張デバイス３０を選択してセレクトベイスロット１８に装着する。
【００１２】
図２には、コンピュータ本体１１の裏面が示されている。コンピュータ本体１１の裏面には、筐体２０の一部となるメモリーカバー４０が取り付けられている。メモリーカバー４０は、筐体内部に配置されたプリント配線基板にメモリーを取り付けるために着脱される蓋体である。ユーザは、コンピュータ本体１１からメモリーカバー４０を取り外してから、筐体内部のプリント配線基板にメモリーを取り付ける。
【００１３】
また、コンピュータ本体１１には、機能拡張デバイス３０およびメモリーカバー４０の各々をコンピュータ本体１１から取り外し不能とするロック機構が設けられている。以下、図２，図３，図４および図５を参照して、このロック機構について説明する。
【００１４】
図２に示されるように、コンピュータ本体１１には、その裏面に沿ってスライド自在なスライド部材５０が設けられている。スライド部材５０は、機能拡張デバイス３０と係合して機能拡張デバイス３０を取り外し不能にするための係合部材である。スライド部材５０がメモリーカバー４０側の位置（第１位置）にある場合には、スライド部材５０は機能拡張デバイス３０を取り外し不能にする。一方、スライド部材５０がメモリーカバー４０から離れた位置（第２位置）にある場合には、スライド部材５０は機能拡張デバイス３０との係合を解除して、機能拡張デバイス３０を取り外し可能とする。
【００１５】
図３には、コンピュータ本体１１の内部において、スライド部材５０が機能拡張デバイス３０と係合した状態が示されている。図３に示されるようにスライド部材５０が第１位置にある場合には、スライド部材５０の一部である爪部５６は、機能拡張デバイス３０の奥側に設けられた爪部３１と係合して、機能拡張デバイス３０は取り外し不能となる。一方、図３に示される状態からスライド部材５０が第２位置にスライドされた場合には、スライド部材５０の爪部５６と機能拡張デバイス３０の爪部３１との係合が外れ、機能拡張デバイス３０は取り外し可能となる。
【００１６】
なお、スライド部材５０の内部には、圧縮状態のコイルバネ５７が配置されている。コイルバネ５７はスライド部材５０を第１位置の方向に付勢しており、ユーザによりスライド部材５０が操作されない時には、コイルバネ５７はスライド部材５０を第１位置に押し付ける。一方、ユーザがスライド部材５０を第２位置までスライドした時には、スライド部材５０の内部のコイルバネ５７はより圧縮された状態となる。よって、ユーザが手を離すと、スライド部材５０はバネ力により第１位置に戻る。
【００１７】
図４には、コンピュータ本体１１を図２のＩＶ‐ＩＶに沿って切断した断面が示されている。コンピュータ本体１１の筐体２０には、メモリーカバー４０、スライド部材５０および固定ネジ６０が取り付けられている。
【００１８】
筐体２０には、スライド部材５０のスライド方向に間隔をあけて２つの孔部２１，２２が形成されている。スライド部材５０に近い一方の孔部２１は貫通穴であり、スライド部材５０から遠い他方の孔部は有底孔２２である。他方の孔部２２には、雌ネジ付きインサート２３が嵌入されている。
【００１９】
メモリーカバー４０には、スライド部材５０のスライド方向に間隔をあけて第１孔部４１および第２孔部４２が形成されている。第１孔部４１は、筐体２０の一方の孔部２１と位置を合わされており、第２孔部４２は、筐体２０の他方の孔部２２と位置を合わされている。
【００２０】
スライド部材５０は、ユーザにより操作される操作部５２と、スライド部材５０の主要部である基部５１とを有しており、筐体２０に形成された長穴２４を通過して延びる接続部５３を介して操作部５２および基部５１は互いに固定されている。また、スライド部材５０には、メモリーカバー４０の第１孔部４１と位置を合わせて第３孔部５４が形成されている。この第３孔部５４には、雌ネジ付きインサート５５が嵌入されている。
【００２１】
固定ネジ６０は、メモリーカバー４０およびスライド部材５０の各々を固定するための固定部材であり、その先端に雄ネジを有する。図４には、固定ネジ６０がメモリーカバー４０の第１孔部４１に挿入された状態が示されている。固定ネジ６０がメモリーカバー４０の第１孔部４１に挿入された場合には、固定ネジ６０は筐体２０の一方の孔部２１を挿通されてから、スライド部材５０の第３孔部５４に挿入されて、第３孔部５４の雌ネジ５５に螺着される。この状態では、固定ネジ６０は、メモリーカバー４０を筐体２０に固定すると共に、スライド部材５０を第１位置に固定する。
【００２２】
一方、図５には、固定ネジ６０がメモリーカバー４０の第２孔部４２に挿入された状態が示されている。固定ネジ６０がメモリーカバー４０の第２孔部４２に挿入された場合には、固定ネジ６０はさらに筐体２０の他方の孔部２２に挿入されて、他方の孔部２２の雌ネジ２３に螺着される。この状態では、固定ネジ６０は、メモリーカバー４０を筐体２０に固定すると共に、スライド部材５０を第１位置から第２位置の間で位置調節自在とする。
【００２３】
機能拡張デバイス３０を着脱しようとする時には、ユーザは、固定ネジ６０をメモリーカバー４０の第２孔部４２に挿入すればよい。これにより、メモリーカバー４０のみがロックされるため、ユーザはスライド部材５０を操作して機能拡張デバイス３０を着脱することができる。そして、所望の機能拡張デバイス３０を装着した後にその機能拡張デバイス３０をロックしようとする時には、ユーザは、固定ネジ６０をメモリーカバー４０の第２孔部４２から取り外して、メモリーカバー４０の第１孔部４１に挿入すればよい。これにより、機能拡張デバイス３０およびメモリーカバー４０が共にロックされるため、機能拡張デバイス３０およびメモリーカバー４０の不用意に脱落することを防止することができる。
【００２４】
本実施形態のコンピュータ１０によれば、固定ネジ６０をメモリーカバー４０の第１孔部４１に挿入することにより、機能拡張デバイス３０およびメモリーカバー４０の両方をロックすることができるため、機能拡張デバイス３０およびメモリーカバー４０の取り付け作業を容易にすることができる。また、固定ネジ６０をメモリーカバー４０の第１孔部４１から取り外すことにより、機能拡張デバイス３０およびメモリーカバー４０の両方のロックを外すことができるため、機能拡張デバイス３０およびメモリーカバー４０の取り外し作業を容易にすることができる。
【００２５】
また、本実施形態のコンピュータ１０によれば、機能拡張デバイス３０およびメモリーカバー４０をロックするために１本の固定ネジ６０を使用するだけであるため、ロック機構の部品点数を削減して、ロック機構の構造を簡略化することができる。この部品点数の削減は、製品コストの低減にも寄与している。
【００２６】
次に、図６を参照して、他の実施形態に係るコンピュータ１０について説明する。図６には、他の実施形態におけるロック機構が示されている。メモリーカバー４０の第１孔部４１は、筐体２０の一方の孔部２１の内側まで延びており、メモリーカバー４０の第１孔部４１には、雌ネジ付きインサート４３が嵌入されている。固定ネジ６０がメモリーカバー４０の第１孔部４１に挿入された場合には、固定ネジ６０は第１孔部４１の雌ネジ４３に螺着される。この状態では、固定ネジ６０は、機能拡張デバイス３０およびメモリーカバー４０の両方をロックする。
【００２７】
なお、さらに他の実施形態に係るコンピュータ１０では、スライド部材５０よりも内側に雌ネジが形成された内部部材を配置して、固定ネジ６０をメモリーカバー４０の第１孔部およびスライド部材５０の第３孔部に挿通してから内部部材の雌ネジに螺合してもよい。このようにロック機構を構成しても、固定ネジ６０は機能拡張デバイス３０およびメモリーカバー４０の両方をロックすることができる。
【００２８】
また、上述した実施形態では、ロック機構は機能拡張デバイス３０およびメモリーカバー４０の両方をロックしたが、他の実施形態では、ロック機構は機能拡張デバイス３０および他の種類のカバーの両方をロックしてもよい。ここで、他の種類のカバーとは、例えばハードディスクなどの他の電子部品をコンピュータ本体１１に取り付けるためのカバーである。
【００２９】
また、上述した実施形態では、固定部材６０は、ネジ締結により機能拡張デバイス３０およびメモリーカバー４０を固定する固定ネジであったが、他の実施形態では、固定部材６０は、他の締結手法により機能拡張デバイス３０およびメモリーカバー４０を固定するものでもよい。
【００３０】
以上、本発明に係る電子機器を、上述した実施形態のコンピュータ１０を一例として説明したが、本発明はコンピュータ１０に限らず、他の種類の電子機器にも適用することができる。
【図面の簡単な説明】
【００３１】
【図１】ノートブック型パーソナルコンピュータの外観を示す斜視図である。
【図２】ノートブック型パーソナルコンピュータの裏面を示す平面図である。
【図３】機能拡張デバイスのロック機構を示す第１図である。
【図４】機能拡張デバイスのロック機構を示す第２図である。
【図５】機能拡張デバイスのロック機構を示す第３図である。
【図６】他の実施形態に係る機能拡張デバイスのロック機構を示す図である。
【符号の説明】
【００３２】
１０…ノートブック型パーソナルコンピュータ、１１…コンピュータ本体、１２…ディスプレイユニット、１８…セレクトベイスロット、２０…筐体、２１，２２…孔部、２３…インサート（雌ネジ）、３０…機能拡張デバイス、３１…爪部、４０…メモリーカバー（蓋体）、４１…第１孔部、４２…第２孔部、５０…スライド部材（係合部材）、５１…基部、５２…操作部、５３…接続部、５４…第３孔部、５５…インサート（雌ネジ）、５６…爪部、５７…コイルバネ、６０…固定ネジ（固定部材）
【図１】
2008250619.tif 000003
【図２】
2008250619.tif 000004
【図３】
2008250619.tif 000005
【図４】
2008250619.tif 000006
【図５】
2008250619.tif 000007
【図６】
2008250619.tif 000008